(57)【要約】【課題】  通孔にコンセントが取り付けられた状態であっても、通孔から取り外された閉塞部材を無駄にすることがなく再利用可能であり、通孔からコンセントが取り外された場合には、再び通孔を閉塞部材で閉塞可能な家具等における配線処理構造を提供すること。【解決手段】  家具等に設けた通孔１２に、コンセントユニット２０を着脱可能に嵌合した家具等における配線処理構造において、通孔１２における前方側の第１開口１２ａよりも、後方側の第２開口が大きくなるように形成されるとともに、この通孔１２からコンセントユニット２０が取り外された際には、第１開口１２ａに嵌合して通孔１２を閉塞する閉塞部材３２を設け、コンセントユニット２０が通孔１２に嵌合した場合には、閉塞部材を第２開口に嵌合させ、該第２開口と前記閉塞部材とで形成された隙間より、コード類を挿通可能にする。【選択図】  図３
2006102119.tif 000002
【特許請求の範囲】
【請求項１】
家具等に設けた通孔に、コンセントユニットを着脱可能に嵌合した家具等における配線処理構造であって、前記通孔における前方側の第１開口よりも、後方側の第２開口が大きくなるように形成されるとともに、前記通孔からコンセントユニットが取り外された際には、前記第１開口に嵌合して前記通孔を閉塞する閉塞部材を設け、前記コンセントユニットが前記通孔に嵌合した場合には、前記閉塞部材を前記第２開口に嵌合させ、該第２開口と前記閉塞部材とで形成された隙間より、コード類を挿通可能にしたことを特徴とする家具等における配線処理構造。
【請求項２】
前記閉塞部材の前記通孔内に嵌合される嵌入部には、コードガイド溝が形成されている請求項１に記載の家具等における配線処理構造。
【請求項３】
前記嵌入部の外周面には、前記第１開口への内挿方向に向けて嵌合凸条を設け、前記通孔の内周面に前記嵌合凸条と摺動可能な摺動溝を形成した請求項１または２に記載の家具等における配線処理構造。
【請求項４】
前記嵌合凸条を前記第２開口から前記通孔内に嵌合させた請求項３に記載の家具等における配線処理構造。
【請求項５】
前記第１開口に前記閉塞部材が取り付けられると、前記閉塞部材の外表面は、前記第１開口が形成された前記家具等の外表面と面一になる請求項１乃至３のいずれかに記載の家具等のコンセントユニット。
【発明の詳細な説明】
【技術分野】
【０００１】
本発明は、家具等に設けた通孔に、コンセントユニットを着脱可能に嵌合した家具等における配線処理構造に関する。
【背景技術】
【０００２】
従来の家具等における配線処理構造では、家具等に形成された通孔に、コンセントを着脱可能に嵌合したものがあり、通常の状態では、通孔には予め開口を閉塞する閉塞部材が取り付けられた状態で家具が販売され、オプション品としてのコンセントが、閉塞部材を外した状態の通孔に取り付け可能となっている。（例えば、特許文献１参照）。
【０００３】
【特許文献１】特開平１１−１７７２４９号公報（段落００１５〜段落００１７、図４図参照）
【発明の開示】
【発明が解決しようとする課題】
【０００４】
そして、家具類にコンセントを取り付ける場合に取り外される閉塞部材は一時的に保管または廃棄されていた。すなわち、通孔に取り付けられたコンセントが取り外されると、以前に取り外された閉塞部材が紛失したり、廃棄されてしまっていることがあるため、通孔を通常の閉塞状態に回復できないことがあった。したがって、開口状態となり見栄えが悪くなるばかりでなく、通孔から塵やホコリ等が入る恐れがあり、通孔を閉塞しようとする場合には、再度メーカー等から閉塞部材を取り寄せなければならず、手間と費用がかかるといった問題があった。
【０００５】
本発明は、このような問題点に着目してなされたもので、通孔にコンセントが取り付けられた状態であっても、通孔から取り外された閉塞部材を無駄にすることがなく再利用可能とし、通孔からコンセントが取り外された場合には、再び通孔を閉塞部材で閉塞することができる家具等における配線処理構造を提供することを目的とする。
【課題を解決するための手段】
【０００６】
上記課題を解決するために、本発明の請求項１に記載の家具等における配線処理構造は、家具等に設けた通孔に、コンセントユニットを着脱可能に嵌合した家具等における配線処理構造であって、前記通孔における前方側の第１開口よりも、後方側の第２開口が大きくなるように形成されるとともに、前記通孔からコンセントユニットが取り外された際には、前記第１開口に嵌合して前記通孔を閉塞する閉塞部材を設け、前記コンセントユニットが前記通孔に嵌合した場合には、前記閉塞部材を前記第２開口に嵌合させ、該第２開口と前記閉塞部材とで形成された隙間より、コード類を挿通可能にしたことを特徴としている。
この特徴によれば、通孔にコンセントユニットが取り付けられた状態であっても、通孔から取り外された閉塞部材を無駄にすることがなく、閉塞部材を通孔の第２開口に嵌合させて、第２開口と閉塞部材の隙間より延出されるコード類の保持案内に利用可能であり、通孔からコンセントユニットが取り外された場合には、再び通孔を閉塞部材で閉塞して、通孔内に塵や埃が侵入することを阻止する。
【０００７】
本発明の請求項２に記載の家具等における配線処理構造は、請求項１に記載の家具等における配線処理構造であって、前記閉塞部材の前記通孔内に嵌合される嵌入部には、コードガイド溝が形成されていることを特徴としている。
この特徴によれば、閉塞部材が第２開口側より通孔に取り付けられた際には、コード類がコードガイド溝に沿って配線されるので、常に一定の方向にコード類を案内できる。
【０００８】
本発明の請求項３に記載の家具等における配線処理構造は、請求項１または２に記載の家具等における配線処理構造であって、前記嵌入部の外周面には、前記第１開口への内挿方向に向けて嵌合凸条を設け、前記通孔の内周面に前記嵌合凸条と摺動可能な摺動溝を形成したことを特徴としている。
この特徴によれば、閉塞部材を通孔に内挿させていくと、通孔の摺動溝に嵌合凸条が摺動されながら、円滑に通孔内に案内させることができるとともに、嵌合凸条が摺動溝に摺動可能に嵌合されることから閉塞部材の全体のガタツキが防止される。
【０００９】
本発明の請求項４に記載の家具等における配線処理構造は、請求項３に記載の家具等における配線処理構造であって、前記嵌合凸条を前記第２開口から前記通孔内に嵌合させたことを特徴としている。
この特徴によれば、閉塞部材を第２開口側より通孔に向けて内挿させると、通孔の内周面に嵌合凸条が嵌合されるので、閉塞部材が第２開口にガタツキなく取り付けられるとともに、コード類を安定して保持できる。
【００１０】
本発明の請求項５に記載の家具等における配線処理構造は、請求項１乃至３のいずれかに記載の家具等における配線処理構造であって、前記第１開口に前記閉塞部材が取り付けられると、前記閉塞部材の外表面は、前記第１開口が形成された前記家具等の外表面と面一になることを特徴としている。
この特徴によれば、家具等の外表面と閉塞部材の外表面とが面一となっているため、家具等の外観が美感に優れたものとなる。
【発明を実施するための最良の形態】
【００１１】
本発明の実施例を以下に説明する。
【実施例１】
【００１２】
図１は、本発明の実施例１におけるコンセント付きテーブルの全体像を示す斜視図であり、図２は、天板支持部材に設けられるコンセントユニットを示す斜視図であり、図３は、天板支持部材と脚柱の分解組立斜視図であり、図４は、天板支持部材の背面構造を示す斜視図であり、図５（ａ）は、天板支持部材にコンセントユニットが取り付けられた斜視図であり、図５（ｂ）は、天板支持部材に閉塞部材が取り付けられた例を示す斜視図であり、図５（ｃ）は、天板支持部材に通信ユニットが取り付けられた変形例を示す斜視図であり、図６（ａ）は、コンセント付きテーブルの下方内側より、天板のコーナー部側を見上げた斜視図であり、図６（ｂ）は図６（ａ）のＢ−Ｂ線の断面図である。
【００１３】
このコンセント付きテーブル１（以下、テーブル１）では、後で詳述するが天板２上に載置された電気機器類に電源を供給可能となっている。そこで、本発明の実施例を図面に基づいて説明すると、図１に示されるように、テーブル１は主に上面視矩形状の天板２と、天板２の各隅部が切り欠かれたように形成されたコーナー部２ｃ下面に設けられた脚柱３（本実施例では４脚）と、この両者（天板２と脚柱３）の間に設けられた天板支持部材１０（本実施例では４つ）と、から構成されており、脚柱３の下端には高さ調整可能な接地部材であるアジャスタ３３が取り付けられ、テーブル１が安定して床面３９に載置されている。
【００１４】
テーブル１の周囲には椅子３５が複数設置され、天板２には、飲料が注がれた複数のカップＫと、電気機器であるノート型パソコン（以下、パソコン）３４が複数設置されており、それぞれのパソコン３４に接続される電源ケーブル３４ａの先端に設けられたプラグ３４ｂが、近傍に位置する各天板支持部材１０に設けられた後述するコンセントユニット２０に形成された差込口に差し込まれている。このコンセントユニット２０の背面側からは電源コード２６が脚柱３の背面に沿って延設され、電源コード２６の先端に設けられたプラグ２６ａが、壁面３６に設けられたコンセント３７に差し込まれている。なお、一部の天板支持部材１０には後述する閉塞部材３２が設けられている。
【００１５】
以下、実施例１の説明において、天板支持部材１０の外側を前方とし、天板支持部材１０の内方および背面側を後方とし、天板支持部材１０の両側方向を左右方向として説明する。
【００１６】
コンセントユニット２０は、図２に示されるように差込口２０ｂが設けられた表面板２０ａと、表面板２０の後方に向かって延出するように形成された矩形ボックス状の嵌入部２０ｃと、嵌入部２０ｃの差込口２０ｂの反対側から延出された電源コード２６から構成され、電源コード２６の先端にはプラグ２６ａが設けられている。電源コード２６の所定間隔周りにはスパイラルバンド２９が巻き付けられている。
【００１７】
嵌入部２０ｃの上下端面の差込口２０ｂ側には、それぞれ２本の案内片２１が形成され、嵌入部２０ｃの左右端面の差込口２０ｂ反対側には、それぞれ後方から下方に向かって「く字形」に折り曲げられた係止片２３が形成され、先端部に操作部２３ａが設けられている。この係止片２３の折り曲げ近傍には、外方に突設された係合部に相当する係合凸部２５が形成されている。
【００１８】
次いで、天板２を支持する天板支持部材１０および脚柱３について詳細に説明すると、図３に示されるように、天板支持部材１０の上面には、天板２と連結可能な一対の扇状支持部１４が設けられており、扇状支持部１４の複数箇所に上下に貫通する貫通孔１５が形成され、この貫通孔１５を介してボルト２７で天板２と連結可能になっている。天板支持部材１０の下面には、下方に向けて一対の挿入片１７が延設されている。
【００１９】
天板支持部材１０の外側面には、外方を向く第１開口１２ａから内方に向かって略水平方向に通孔１２が形成され、通孔１２の内周上下面に内方に向けて摺動溝１１が形成され、コンセントユニット２０の案内片２１が摺動可能に嵌合されるようになっている。通孔１２の内方側方には上下方に向けて被係合部に相当する係合凹部１８が形成されている。通孔１２下面には下方に貫通するボルト用の貫通孔１６が形成され、通孔１２の上面には上方に貫通する開口１２ｃが連通されている。
【００２０】
脚柱３には上下に貫通する溝条５が前後左右に形成され、後方の溝条５には上下方向に挿入溝６が形成されている。脚柱３の上端部３ａと下端部３ｂにはその中央位置に螺合穴４が形成され、下端部３ｂには貫通孔７ａが形成されたカバー部材７が嵌合され、この貫通孔７ａを介して下端部３ｂの螺合穴４に向けてアジャスタ３３が取り付けられる。
【００２１】
天板支持部材１０と脚柱３の連結は、天板支持部材１０の挿入片１７を左右の溝条５に嵌合させて、脚柱３の上端部３ａに位置固定させた後、ボルト２８を天板支持部材１０の開口１２ｃから貫通孔１６に向けて挿し込み、脚柱３の螺合穴４に螺合させ締め付けることで連結が完了する。このように、ボルト２８による螺合と、挿入片１７により天板支持部材１０と脚柱３が確実に連結される。このようにして連結された天板支持部材１０と脚柱３は分離も容易であるので、脚柱３の高さの変更を行いたい場合にも、長さの違う新たな脚柱３の交換が容易に行える構成になっている。
【００２２】
そして、天板支持部材１０と脚柱３の連結完了後、コンセントユニット２０を天板支持部材１０の第１開口１２ａから通孔１２に向けて内挿可能になっている。なお、コンセントユニット２０の取り付けについて簡単に説明すると、通孔１２の第１開口１２ａに向けてコンセントユニット２０を矢印に示される方向に、天板支持部材１０の第１開口１２ａから通孔１２に向けて内挿されると、係合凸部２５が通孔１２の内周面に当接され係止片２３が内方に弾性付勢されて撓みながら、徐々に通孔１２内に嵌入部２０ｃが内挿されていく。
【００２３】
そして、コンセントユニット２０の表面板２０ａが第１開口１２ａの前端面に当接される位置まで内挿されることにより、左右の係止片２３に形成された係合凸部２５がそれぞれ通孔１２に形成された係合凹部１８に嵌合し、係止片２３の撓みが解除されることで、天板支持部材１０にコンセントユニット２０が位置固定され、コンセントユニット２０の取り付けが完了する。なお、嵌入部２０ｃの上下面に形成された案内片２１が第１開口１２ａの近傍に形成された摺動溝１１に摺動可能に嵌合されるので、円滑にコンセントユニット２０が通孔１２内に案内されるとともに、コンセントユニット２０全体のガタツキが防止される。
【００２４】
さらに、通孔１２にコンセントユニット２０を取り付けずに、第１開口１２ａを閉蓋する部材として、閉塞部材３２を取り付けることも可能であり、この閉塞部材３２はコンセントユニット２０と同様に表面板３２ａの後方に向かって延設された嵌入部３２ｃと、嵌入部３２ｃの表面板３２ａ側の上下端面には、コンセントユニット２０の案内片２１と略同型の嵌合突条３２ｅがそれぞれ２本形成されており、嵌入部３２ｃの両側面には半月形状のコードガイド溝３２ｄが形成されている。この閉塞部材３２の通孔１２への取り付けについては、前述したコンセントユニット２０と略同様のため説明を割愛する。
【００２５】
次いで、天板支持部材１０の背面構造について説明すると、図４に示されるように、天板支持部材１０の後方には、下方に向けて第２開口１２ｂが形成され、通孔１２に連結されている。つまり、第１開口１２ａおよび第２開口１２ｂは通孔１２を介して連結されている。第２開口１２ｂの内周面の前方両端部には、係合凹部１８が上方向に向けて形成されており、第２開口１２ｂの前端近傍から前方斜め下方に向けて配線溝１９が形成され、電源コード２６が案内可能となっている。
【００２６】
この第２開口１２ｂには、閉塞部材３２のコードガイド溝３２ｄが斜め前後方向を向く状態で、嵌入部３２ｃの両面に設けられた嵌合凸条３２ｃを通孔１２の左右両端面に圧入嵌合させることで取り付け可能になっており、閉塞部材３２が第２開口１２ｂにガタツキなく取り付けられ、コードガイド溝３２ｄで電源コード２６を保持案内させることが可能になっている。
【００２７】
天板支持部材１０の後端上部には、後方に突設された連結部１３が形成され、連結部１３の中央位置に前後に貫通する連結孔１３ａが形成されている。ボルト２７を第２開口１２ｂから連結孔１３ａを介して、連結部１３の螺合穴４５ａに螺合させることで、連結部１３に後述する連結部材４５が接続される。第２開口１２ｂは第１開口１２ａより大きく形成されており、このようなボルト螺合作業も第２開口１２ｂ側より容易に行える。
【００２８】
天板支持部材１０にコンセントユニット２０が取り付けられると、図５（ａ）に示されるように、差込口２０ｂおよび表面板２０ａの外表面が天板支持部材１０の外表面と面一になることにより、プラグ差し込み時の突出が極力避けられ、且つ面一となった面を脚柱３の外表面とも面一とすることも可能で、美感に優れたテーブル脚を提供できる。
【００２９】
さらに、コンセントユニット２０が通孔１２内に取り付けられた状態では、第１開口１２ａの外側面が表面板２０ａにより閉蓋されるので、通孔１２内に塵や埃が侵入することが阻止される。なお、天板支持部材１０の扇状支持部１４には、複数のボルト２７が上方に向け貫通され、天板２下面に形成された図示しない螺合穴に螺合され堅固に固定されている。
【００３０】
図５（ｂ）は、天板支持部材１０の第１開口１２ａに前述した閉塞部材３２が取り付けられた例を示したものであり、コンセントユニット２０を必要としない場合は、閉塞部材３２が通孔１２に内挿され、閉塞部材３２の表面板３２ａによって、第１開口１２ａが閉蓋され天板支持部材１０の外表面と面一になっている。そして閉塞部材３２を取り外せば、いつでもコンセント付きテーブル１に変更できる。
【００３１】
図５（ｃ）は、天板支持部材１０の第１開口１２ａに通信ユニット４１を取り付けた変形例であり、表面板４１ａの中央部にＬＡＮケーブル等を接続可能な差込口４１ｂが設けられている。なお、通信ユニット４１の天板支持部材１０からの着脱は、上記したコンセントユニット２０と略同様のため説明を割愛する。このように、本発明において、電源供給用のコンセントユニット２０や通信接続用の通信ユニット４１等に限定されることなく、各種接続用コンセントユニットに対しても対応可能である。
【００３２】
コンセントユニット２０の背面側に接続される電源コード２６の配線について説明すると、図６（ａ）に示されるように、第２開口１２ｂに閉塞部材３２を取り付けることで、嵌入部３２ｃの上下に形成されたコードガイド溝３２ｄ内に配線コード２６が案内保持され配線され、常に一定の方向に電源ケーブル２６が案内されることになる。第１開口１２ａよりも大きく形成された第２開口１２ｂで配線コード２６が反転する空間が形成されるので、コンセントユニット２０からの配線コード２６はこの空間部分で反転し、配線溝１９に沿って下方向に配線され、脚柱３の上端部３ａから下端部３ｂに延び、カバー部材７およびアジャスタ３３の近傍から図示しない床面に沿って配線されている。
【００３３】
そして、下方に配線された電源コード２６は、図６（ｂ）に示されるように、脚柱３の背面側に形成された挿入溝６に嵌入され溝条５内に内挿されており、配線コード２６の外周に巻き付けられたスパイラルバンド２９によって、安易に電源コード２６が挿入溝６から抜け出ることのない構成になっている。また、挿入溝６より電源コード２６だけを溝条５内に内挿すればよく、プラグ２６ａは溝条５内を通す必要がないので、配線作業が楽である。
【００３４】
このように、コンセントユニット２０に接続された電源コード２６は、天板支持部材１０の第２開口１２ｂから宙吊り状態で配線されることなく脚柱３内に納められ、テーブル１を利用する利用者の手や足に引っ掛かることがなく安全性が高められるとともに、外部からの見栄えも良いものとなる。
【００３５】
また、図６（ａ）に示されるように、このテーブル１のコーナー部２ｃに各々設けられた天板支持部材１０の後端側の連結部１３には、一対毎にアーチ状に連結部材４５が連結され、さらに一対の連結部材４５間に連結部材４６が連結されることにより、強固な枠組みが構成されている。
【００３６】
以上の説明により実施例１では、通孔１２にコンセントユニット２０が取り付けられた状態であっても、通孔１２から取り外された閉塞部材３２を無駄にすることがなく、閉塞部材３２を通孔１２の第２開口１２ｂに嵌合させて、第２開口１２ｂと閉塞部材３２の隙間より延出される電源コード２６等のコード類を保持案内に利用可能であり、通孔１２からコンセントユニット２０が取り外された場合には、再び通孔１２を閉塞部材３２で閉塞可能となる。
【実施例２】
【００３７】
次に、本発明の実施例２を図７，図８に基づいて説明する。図７は、コンセントユニットのテーブル配線における第２実施例を示す斜視図であり、図８は、図７のテーブル配線構造の全体図を示す一部破断斜視図である。なお、以下の実施例２において前述の実施例１と同様の構造部分に関しては、同一の符号を付すことにより詳細な説明は省略することにする。
【００３８】
図７に示されるように、第２開口１２ｂに閉塞部材３２が嵌合されて通孔１２内に取り付けられた状態（図４参照）では、第２開口１２ｂが第１開口１２ａより大きいため、閉塞部材３２の上端部と第２開口１２ｂの間に隙間が形成されていることから、コンセントユニット２０の後端に接続された電源コード２６は、閉塞部材３２と第２開口１２ｂの隙間から延出され、連結部材４５の下面に沿い天板下面内方に配線されている。この電源コード２６は、所定箇所に設けられた金属板状の固定具３０により、連結部材４５、４６に位置固定されている。
【００３９】
これら各脚柱３の上部から配線される電源コード２６は、図８に示されるように、連結部材４６に沿って、天板２の中央方向に向かって集線され、天板２の中央位置から下方に向けて延設された可撓性を有するスパイラル管４３内に内挿されて、図示しない床面に向けて配線されている。
【００４０】
したがって、電源コード２６をまとめて一カ所の電源に導くことができる。また、連結部材４６には上向きコ字状の遮蔽板４２が取り付けられることにより、電源コード２６を下方に弛ませない構成になっているとともに、電源コード２６を外部から遮蔽して美観を損ねないようになっている。
【００４１】
このように、コンセントユニット２０の差込口２０ｂの反対側に第２開口１２ｂが形成され、この第２開口１２ｂに閉塞部材３２が取り付けられているので、閉塞部材３２と第２開口の隙間より延出される電源コード２６を閉塞部材３２で保持案内させることができ、上述の如くコンセントユニット２０を各脚柱３の上部に設けた場合でも、電源コード２６の配線処理の複雑化を防止することができる。
【実施例３】
【００４２】
次に、本発明の実施例３を図９，図１０に基づいて説明する。図９は、コンセント付き棚の上部を示す一部破断斜視図であり、図１０（ａ）は、図９の棚のＣ−Ｃ線の断面図であり、閉塞部材を取り付ける過程を示す断面図である。なお、以下の実施例３において前述の実施例１と同様の構造部分に関しては、同一の符号を付すことにより詳細な説明は省略することにする。
【００４３】
図９に示されるように、コンセント付き棚（以下、棚装置１’）では、後で詳述するが天板２’上に載置された電気機器類に電源を供給可能となっている。以下、実施例３の説明において、棚装置１’の正面を前方とし、棚装置１’の背面側を後方とし、棚装置１’の両側方向を左右方向として説明する。
【００４４】
棚装置１’は主に上面視矩形状の天板２’と、天板２’の下面２ｂ’の各コーナー部に設けられた脚柱３’（本実施例では４脚）と、から構成されている。各脚柱３’の内面側には、上下方向に沿って設けられた係止レール４７と、上下方向に沿って溝条５’が形成されている。係止レール４７には、特に図示しないが複数のダボ穴が形成され、ダボ穴の所定間隔毎にダボが設けられることにより、これらダボに棚板８が係止されて棚装置１’の上下方向に複数段の棚板８，８が形成されている。
【００４５】
天板２’の下面２ｂ’前方側には、下方に向けてコンセント取付部材９が設けられており、左の脚柱３’の近傍には２つのコンセントユニット２０（実施例１と同様の構成である）が所定間隔離間されて取り付けられ、右の脚柱３’の近傍にはコンセントユニット２０と閉塞部材３２（実施例１と同様の構成である）が所定間隔離間されて取り付けられている。天板２’および各棚板８，８にはパソコン３４や照明用の電気スタンド３４’等の電気機器が載置されており、これら３つのコンセントユニット２０の差込口２０ｂから電気を供給可能になっている。
【００４６】
次いで、コンセントユニット２０が取り付けられた状態と閉塞部材３２の取り付けについて説明すると、図１０に示されるように、コンセント支持部材９の前面側には、表面板２０および閉塞部材３２の表面板３２ａを嵌合可能な第１開口１２ａ’と、背面側には第２開口１２ｂ’とが形成され、第１開口１２ａ’および第２開口１２ｂ’を連通する通孔１２’が形成されている。この通孔１２’の内周面の上下には、第１開口１２ａ’から第２開口１２ｂ’側に向けて一対の摺動溝１１’がそれぞれ形成されており、通孔１２’の内周面の左右の第２開口１２ｂ’側には上下方向に向けて被係合部である係合凹部１８’が形成されている。
【００４７】
コンセントユニット２０がコンセント取付部材９の第１開口１２ａ’から通孔１２’に向けて内挿された状態では、通孔１２’内に嵌入部２０ｃが内挿され、係合凸部２５が係合凹部１８’に嵌合されるとともに、係止片２３の撓みが解除されコンセントユニット２０が通孔１２’内に位置固定されて取り付けられている。このようにして、コンセント取付部材９に取り付けられたコンセントユニット２０から後方に向かって延出される電源コード２６は、脚柱３に形成された溝条５’に収納され長さ方向に沿って配線されるようになっており、棚装置１’の外部からは見えないようになっている。
【００４８】
次いで、閉塞部材３２を矢印に示される方向に内挿させていくと、嵌入部３２ｃの通孔１２’への内挿時に嵌合凸条３２ｅが摺動溝１１’に摺動可能に嵌合されていくので、通孔１２’内に嵌入部３２ｃが円滑に案内されるとともに、閉塞部材３２全体のガタツキが防止されている。このことから、コンセントユニット２０を使用しない状態においても、閉塞部材３２で通孔１２’を閉塞でき、棚装置１’の前面側から通孔１２’内に塵や埃が進入しないようになっている。
【００４９】
なお、コンセント取付部材９から閉塞部材３２を取り外すには、利用者の指等で第２開口１２ｂ’側より、閉塞部材３２の嵌入部３２ｃの背面を棚装置１’の前方向に向けて押圧させることにより、棚装置１’の前面方向に引き出しことができ、簡便に取り外し作業を行えるようになっている。
【００５０】
このように、棚装置１’にコンセントユニット２０を設けない場合にも、通孔１２’に閉塞部材３２を取り付けることができ、コンセント取付部材９の外表面と面一になることから見栄えを損ねず、コンセントユニット２０を必要としない棚装置１’としても利用可能となり、再度、閉塞部材３２を取り外してコンセントユニット２０に交換するだけで、いつでもコンセント付き棚装置１’に変更できる。
【００５１】
以上の説明により実施例３においても、閉塞部材３２およびコンセントユニット２０を通孔１２’に向けて内挿させるだけで、容易にコンセント取付部材９に取り付けることができることから、本発明は棚装置１’や実施例１のテーブル１等に限らず、様々な家具等に通孔を形成するだけで、閉塞部材３２およびコンセントユニット２０を単体で取り付け可能となるので、一形体の通孔１２’のみで共通化でき家具等への取付構造の複雑化を防ぐとともに、製造コストも低く抑えることができる。
【００５２】
以上、本発明の実施例１〜３を図面により説明してきたが、具体的な構成はこれら実施例に限られるものではなく、本発明の要旨を逸脱しない範囲における変更や追加があっても本発明に含まれ、例えば上記実施例では、通孔１２に電源供給用のコンセントユニット２０や通信接続用の通信ユニット４１が取り付け可能になっているが、本発明はこれに限定されるものではなく、各種接続用コンセントユニットに対しても対応可能であり、これらのユニットを通孔１２に取り付けない場合には、閉塞部材３２を取り付けて、通孔１２の第１開口を閉塞することが好ましいことは言うまでもない。
【００５３】
また、上記実施例２では、スパイラル管４３を介して電源コード２６を下方に向けて配線することで電源コードを束ねているが、本発明はこれに限定されるものではなく、例えば、図１に示すように、壁面３６に設けられたコンセント３７の最も近傍に位置する一本の脚柱３からの電源コード２６と集線して電源を受けることも可能であり、配線処理の複雑化を防止できる。
【図面の簡単な説明】
【００５４】
【図１】本発明の実施例１におけるコンセント付きテーブルの全体像を示す斜視図である。
【図２】天板支持部材に設けられるコンセントユニットを示す斜視図である。
【図３】天板支持部材と脚柱の分解組立斜視図である。
【図４】天板支持部材の背面構造を示す斜視図である。
【図５】（ａ）は、天板支持部材にコンセントユニットが取り付けられた斜視図であり、（ｂ）は、天板支持部材に閉塞部材が取り付けられた例を示す斜視図であり、（ｃ）は、天板支持部材に通信ユニットが取り付けられた変形例を示す斜視図である。
【図６】（ａ）は、テーブルの下方内側より、天板のコーナー部側を見上げた斜視図であり、（ｂ）は、図６（ａ）のＢ−Ｂ線の断面図である。
【図７】第２実施例におけるコンセントユニットのテーブル配線構造を示す斜視図である。
【図８】図７におけるテーブル配線構造の全体図を示す一部破断斜視図である。
【図９】第３実施例におけるコンセント付き棚の上部を示す一部破断斜視図である。
【図１０】図９における棚のＣ−Ｃ線の断面図であり、閉塞部材を取り付ける過程を示す断面図である。
【符号の説明】
【００５５】
１                テーブル（コンセント付きテーブル）
１’              棚装置（コンセント付き棚装置）
２、２’          天板
３、３’          脚柱
３ａ              上端部
３ｂ              下端部
８                棚板
９                コンセント取付部材
１０              天板支持部材
１１、１１’      摺動溝
１２、１２’      通孔
１２ａ、１２ａ’  第１開口
１２ｂ、１２ｂ’  第２開口
１８、１８’      係合凹部
１９              配線溝
２０              コンセントユニット
２０ａ            表面板
２０ｂ            差込口
２０ｃ            嵌入部
２１              案内片
２３              係止片
２３ａ            操作部
２５              係合凸部
２６              電源コード
２６ａ            プラグ
２９              スパイラルバンド
３２              閉塞部材
３２ａ            表面板
３２ｃ            嵌入部
３２ｄ            コードガイド溝
３２ｅ            嵌合突条
３４              パソコン
３４’            電気スタンド
３４ａ、３４ａ’  電源ケーブル
３４ｂ、３４ｂ’  プラグ
３６              壁面
３７              コンセント
３９              床面
４１              ＬＡＮ等の通信ユニット
４２              遮蔽板
４３              スパイラル管
４５、４６        連結部材
４５ａ            螺合穴
４７              係止レール
【図１】
2006102119.tif 000003
【図２】
2006102119.tif 000004
【図３】
2006102119.tif 000005
【図４】
2006102119.tif 000006
【図５】
2006102119.tif 000007
【図６】
2006102119.tif 000008
【図７】
2006102119.tif 000009
【図８】
2006102119.tif 000010
【図９】
2006102119.tif 000011
【図１０】
2006102119.tif 000012